(57)【要約】【課題】構造物を構成する複数の部品の他部品との接続部に関する情報を適切に管理可能な部品管理データベースを提供する。【解決手段】構造物を構成する複数の部品を管理するための部品管理データベースであって、複数の部品の各々について、部品の部品ＩＤと、上記部品の加工前の形状データと、上記部品の加工後の形状データと、上記加工前の形状データと上記加工後の形状データとの差分である加工形状の形状データと、上記部品に接続される他部品の部品ＩＤと、上記部品の上記他部品との接続部の接続種別を表す接続分類ＩＤと、を関連付けて記憶するとともに、上記接続種別毎に上記接続部のモデル形状を記憶する。【選択図】  図３
2019185448.tif 000002
【特許請求の範囲】
【請求項１】
構造物を構成する複数の部品を管理するための部品管理データベースであって、
複数の部品の各々について、前記部品の部品ＩＤと、前記部品の加工前の形状データと、前記部品の加工後の形状データと、前記加工前の形状データと前記加工後の形状データとの差分である加工形状の形状データと、前記部品に接続される他部品の部品ＩＤと、前記部品の前記他部品との接続部の接続種別を表す接続分類ＩＤと、を関連付けて記憶するとともに、
前記接続種別毎に前記接続部のモデル形状を記憶する
部品管理データベース。
【請求項２】
前記部品管理データベースは、前記複数の部品の各々について、前記加工前の形状データと、前記加工後の形状データと、前記加工形状の形状データと、を表計算ソフトウェアにおいて行と列とのテーブルにより表記可能な形式で記憶する
請求項１に記載の部品管理データベース。
【請求項３】
前記加工形状の形状データに基づいてＣＡＭ装置により生成された前記部品のツールパスであって、前記部品ＩＤに関連付けられる前記部品のツールパスをさらに記憶する
請求項１又は２に記載の部品管理データベース。
【請求項４】
前記部品を加工する加工機から送られる前記部品の加工進捗状況に関する情報である加工進捗情報であって、前記部品ＩＤに関連付けられる加工進捗情報をさらに記憶する
請求項１乃至３の何れか１項に記載の部品管理データベース。
【請求項５】
前記構造物の建設現場から送られる前記部品の設置状況に関する情報である設置情報であって、前記部品ＩＤに関連付けられる設置情報をさらに記憶する
請求項１乃至４の何れか１項に記載の部品管理データベース。
【請求項６】
前記接続部において前記部品と前記他部品とを接続する接続金物に関する情報である接続金物情報であって、前記部品ＩＤに関連付けられる接続金物情報をさらに記憶する
請求項１乃至５の何れか１項に記載の部品管理データベース。
【請求項７】
請求項１乃至６の何れか１項に記載の部品管理データベースと、
前記部品管理データベースとデータの送受信が可能な３ＤＣＡＤ装置と、を備え、
前記３ＤＣＡＤ装置は、前記部品の加工前の形状データ、前記他部品の加工前の形状データ、および前記接続種別毎に記憶された前記接続部のモデル形状に基づいて、前記部品の加工後の形状データ、および、前記他部品の加工後の形状データを作成可能な加工後形状作成部を有する
部品管理システム。
【請求項８】
請求項１乃至６の何れか１項に記載の部品管理データベースと、
前記部品管理データベースとデータの送受信が可能なＣＡＭ装置であって、前記加工形状の形状データに基づいて前記部品のツールパスを生成可能なＣＡＭ装置と、を備える
部品管理システム。
【請求項９】
請求項１乃至６の何れか１項に記載の部品管理データベースと、
前記部品に付された識別マークであって、前記部品を特定する情報および前記部品の形状モデルが情報としてエンコードされた識別マークと、を備え、
前記識別マークは、情報端末装置の撮影画像から抽出されて前記識別マークにエンコードされた情報が読み取られた際に、前記撮影画像に重畳して前記情報端末装置の画面に前記部品の形状モデルを表示する
部品管理システム。
【請求項１０】
構造物を構成する複数の部品を管理するための部品管理方法であって、
複数の部品の各々について、前記部品の部品ＩＤと、前記部品の加工前の形状データと、前記部品の加工後の形状データと、前記加工前の形状データと前記加工後の形状データとの差分である加工形状の形状データと、前記部品に接続される他部品の部品ＩＤと、前記部品の前記他部品との接続部の接続種別を表す接続分類ＩＤと、を関連付けて記憶装置に記憶するステップと、
前記接続種別毎に前記接続部のモデル形状を前記記憶装置に記憶するステップと、を有する
部品管理方法。
【発明の詳細な説明】
【技術分野】
【０００１】
本開示は、構造物を構成する複数の部品を管理するための部品管理データベース、該部品管理データベースを備える部品管理システム、および部品管理方法に関する。
【背景技術】
【０００２】
構造物の設計作業をする際において、視覚による形状認識を容易にするために、３次元モデルが導入されている。構造物を構成する部品の各々について、３ＤＣＡＤソフトにより３次元形状をモデル化した３次元部品モデルが作成され、作成された３次元部品モデルを仮想空間上に配置することで、構造物の３次元モデルが作成されている。
【０００３】
近年、ＢＩＭやＣＩＭの概念に基づいて、３次元モデルを設計段階、施工段階および維持管理段階の各段階において活用するために、３次元モデルを空間座標で規定した３ＤＣＡＤデータなどの、３次元モデルに関する情報と、建築関連情報とを統合して管理するための建築情報統合管理システムが提案されている（例えば特許文献１）。
【０００４】
特許文献１には、建築物を構成する複数のオブジェクトを空間座標で規定した３次元モデル情報を含む３次元モデルマスターデータと、建築物を設計、発注、見積計算、施工、或いは維持管理するための情報を３次元モデル内の空間座標情報に関連付けた建築関連情報を含む建築関連情報マスターデータと、を格納する記憶部が開示されている。
【先行技術文献】
【特許文献】
【０００５】
【特許文献１】特許第５６１７４７２号公報
【発明の概要】
【発明が解決しようとする課題】
【０００６】
しかしながら、３ＤＣＡＤデータは、上記３次元部品モデルの形状や位置（座標）に関する情報を含んでいるが、構造物を構成する複数の部品の、他部品との接合部に関する情報を含んではいない。このため、３ＤＣＡＤデータに基づいて仮想空間上に表現された３次元モデルを参照しても、仮想空間上において互いに近接した位置に配置される二つの部品が、互いに接続されるか否かは不明である。このような３ＤＣＡＤデータのみでは、構造物を構成する複数の部品を適切に管理することができない虞がある。
【０００７】
上述した事情に鑑みて、本発明の少なくとも一実施形態の目的は、構造物を構成する複数の部品の他部品との接続部に関する情報を適切に管理可能な部品管理データベースを提供することにある。
【課題を解決するための手段】
【０００８】
（１）本発明の少なくとも一実施形態にかかる部品管理データベースは、
構造物を構成する複数の部品を管理するための部品管理データベースであって、
複数の部品の各々について、前記部品の部品ＩＤと、前記部品の加工前の形状データと、前記部品の加工後の形状データと、前記加工前の形状データと前記加工後の形状データとの差分である加工形状の形状データと、前記部品に接続される他部品の部品ＩＤと、前記部品の前記他部品との接続部の接続種別を表す接続分類ＩＤと、を関連付けて記憶するとともに、
前記接続種別毎に前記接続部のモデル形状を記憶する。
【０００９】
上記（１）の構成によれば、部品管理データベースは、複数の部品の各々について、部品の部品ＩＤと、上記部品に関する形状データ（加工前形状データ、加工後形状データ、加工形状データ）と、上記部品に接続される他部品の部品ＩＤと、上記部品の他部品との接続部の接続種別を表す接続分類ＩＤと、を関連付けて記憶する。そして、接続種別毎に接続部のモデル形状を記憶する。このため、上記部品管理データベースを参照すれば、一の部品の部品ＩＤに関連付けて記憶された、上記一の部品に接続される他部品の部品ＩＤと接続分類ＩＤとに基づいて、構造物を構成する複数の部品の他部品との接続関係を把握することができる。よって、上記（１）の構成によれば、構造物を構成する複数の部品の他部品との接続部に関する情報を適切に管理可能である。
【００１０】
（２）幾つかの実施形態では、上記（１）に記載の部品管理データベースにおいて、上記部品管理データベースは、上記複数の部品の各々について、上記加工前の形状データと、上記加工後の形状データと、上記加工形状の形状データと、を表計算ソフトウェアにおいて行と列とのテーブルにより表記可能な形式で記憶する。
【００１１】
上記（２）の構成によれば、部品管理データベースは、複数の部品の各々について、部品に関する形状データ（加工前形状データ、加工後形状データ、加工形状データ）を表計算ソフトウェアにおいて行と列とのテーブルにより表記可能な形式で記憶するので、仮に部品に関する形状データを３次元形状データで記憶するのに比べて、データ管理およびデータ共有が容易になる。また、部品に関する形状データを表計算ソフトウェアにおいて行と列とのテーブルにより表記可能な形式にすることで、上記形状データを作成した３ＤＣＡＤソフト以外のソフトがインストールされたコンピュータにより、上記形状データの参照や加工が可能となる。
【００１２】
上記形状データを３次元形状データから表計算ソフトウェアにおいて行と列とのテーブルにより表記可能な形式に変換する際には、データの変換による精度の低下や形状情報の欠落を招く可能性がある。しかし、部品管理データベースは、部品の形状データを上記部品に接続される他部品の部品ＩＤと接続分類ＩＤとに関連付けて記憶するとともに、接続種別毎に接続部のモデル形状を記憶するので、上記部品の他部品との接続関係が明確である。このため、データの変換による精度の低下や形状情報の欠落を抑制することができるとともに、欠落した形状情報を補完することができる。
【００１３】
（３）幾つかの実施形態では、上記（１）又は（２）に記載の部品管理データベースにおいて、上記加工形状の形状データに基づいてＣＡＭ装置により生成された上記部品のツールパスであって、上記部品ＩＤに関連付けられる上記部品のツールパスをさらに記憶する。
【００１４】
上記（３）の構成によれば、加工形状の形状データに基づいて、ＣＡＭ装置により作成された部品のツールパスを部品ＩＤに関連付けて記憶するので、該部品のツールパスに則り、加工機の動作のシミュレーションや加工機による加工をして不具合が生じた場合には、部品を特定することが容易である。このため、部品の加工形状の修正などの対応を迅速に行うことができる。
【００１５】
（４）幾つかの実施形態では、上記（１）〜（３）の何れかに記載の部品管理データベースにおいて、上記部品を加工する加工機から送られる上記部品の加工進捗状況に関する情報である加工進捗情報であって、上記部品ＩＤに関連付けられる加工進捗情報をさらに記憶する。
【００１６】
上記（４）の構成によれば、部品管理データベースは、部品の加工進捗状況に関する情報である加工進捗情報を部品ＩＤに関連付けて記憶するので、部品管理データベースを参照すれば、部品の加工機による加工の進捗状況を把握することができる。
【００１７】
（５）幾つかの実施形態では、上記（１）〜（４）の何れかに記載の部品管理データベースにおいて、上記構造物の建設現場から送られる上記部品の設置状況に関する情報である設置情報であって、上記部品ＩＤに関連付けられる設置情報をさらに記憶する。
【００１８】
上記（５）の構成によれば、部品管理データベースは、部品の設置状況に関する情報である設置情報を部品ＩＤに関連付けて記憶するので、部品管理データベースを参照すれば、部品の建設現場における設置状況を把握することができる。
【００１９】
（６）幾つかの実施形態では、上記（１）〜（５）の何れかに記載の部品管理データベースにおいて、上記接続部において上記部品と上記他部品とを接続する接続金物に関する情報である接続金物情報であって、上記部品ＩＤに関連付けられる接続金物情報をさらに記憶する。
【００２０】
上記（６）の構成によれば、接続部において部品と他部品とを接続する接続金物に関する情報である接続金物情報を部品ＩＤに関連付けて記憶するので、部品管理データベースを参照すれば、構造物を構成する複数の部品の他部品や接続金物との接続関係を把握することができる。よって、上記（６）の構成によれば、構造物を構成する複数の部品の、接続金物や他部品との接続部に関する情報を適切に管理可能である。
【００２１】
（７）本発明の少なくとも一実施形態にかかる部品管理システムは、
上記（１）〜（６）の何れかの部品管理データベースと、
前記部品管理データベースとデータの送受信が可能な３ＤＣＡＤ装置と、を備え、
前記３ＤＣＡＤ装置は、前記部品の加工前の形状データ、前記他部品の加工前の形状データ、および前記接続種別毎に記憶された前記接続部のモデル形状に基づいて、前記部品の加工後の形状データ、および、前記他部品の加工後の形状データを作成可能な加工後形状作成部を有する。
【００２２】
上記（７）の構成によれば、３ＤＣＡＤ装置は、加工後形状作成部を有するので、部品の加工前の形状データと、接続部において上記部品に接続される他部品の加工前の形状データと、上記接続部のモデル形状と、に基づいて、上記部品の加工後の形状データ、上記他部品の加工後の形状データを作成することができる。このような加工後形状作成部を有する３ＤＣＡＤ装置によれば、部品や他部品の加工後の形状データの作成が容易である。
【００２３】
（８）本発明の少なくとも一実施形態にかかる部品管理システムは、
上記（１）〜（６）の何れかの部品管理データベースと、
前記部品管理データベースとデータの送受信が可能なＣＡＭ装置であって、前記加工形状の形状データに基づいて前記部品のツールパスを生成可能なＣＡＭ装置と、を備える。
【００２４】
上記（８）の構成によれば、ＣＡＭ装置は、部品管理データベースに記憶された加工形状の形状データに基づいて、部品のツールパスを生成可能である。該部品のツールパスに則り、加工機の動作のシミュレーションや、加工機による部品の加工が可能である。
【００２５】
（９）本発明の少なくとも一実施形態にかかる部品管理システムは、
上記（１）〜（６）の何れかの部品管理データベースと、
前記部品に付された識別マークであって、前記部品を特定する情報および前記部品の形状モデルが情報としてエンコードされた識別マークと、を備え、
前記識別マークは、情報端末装置の撮影画像から抽出されて前記識別マークにエンコードされた情報が読み取られた際に、前記撮影画像に重畳して前記情報端末装置の画面に前記部品の形状モデルを表示する。
【００２６】
上記（９）の構成によれば、部品に付された識別マークが情報端末装置の撮影画像から抽出されて、識別マークにエンコードされた情報が読み取らされた際に、撮影画像に重畳して情報端末装置の画面に上記部品の形状モデルが表示される。このため、部品は構造物に組み込まれた後は、部品を目視しても部品の形状を把握することが困難であるが、部品に付された識別マークから部品の形状を容易に把握することができる。また、識別マークには例えば部品ＩＤのような部品を特定する情報がエンコードされているので、部品管理データベースを参照することで、識別マークが付された部品を特定したり、該部品に関する情報を取得したりすることができる。
【００２７】
（１０）本発明の少なくとも一実施形態にかかる部品管理方法は、
構造物を構成する複数の部品を管理するための部品管理方法であって、
複数の部品の各々について、前記部品の部品ＩＤと、前記部品の加工前の形状データと、前記部品の加工後の形状データと、前記加工前の形状データと前記加工後の形状データとの差分である加工形状の形状データと、前記部品に接続される他部品の部品ＩＤと、前記部品の前記他部品との接続部の接続種別を表す接続分類ＩＤと、を関連付けて記憶装置に記憶するステップと、
前記接続種別毎に前記接続部のモデル形状を前記記憶装置に記憶するステップと、を有する。
【００２８】
上記（１０）の方法によれば、部品管理方法は、複数の部品の各々について、部品の部品ＩＤと、上記部品に関する形状データ（加工前形状データ、加工後形状データ、加工形状データ）と、上記部品に接続される他部品の部品ＩＤと、上記部品の他部品との接続部の接続種別を表す接続分類ＩＤと、を関連付けて記憶装置に記憶する。そして、接続種別毎に接続部のモデル形状を記憶装置に記憶する。このため、記憶装置を参照すれば、一の部品の部品ＩＤに関連付けて記憶された、上記一の部品に接続される他部品の部品ＩＤと接続分類ＩＤとに基づいて、構造物を構成する複数の部品の他部品との接続関係を把握することができる。よって、上記（１０）の方法によれば、構造物を構成する複数の部品の他部品との接続部に関する情報を適切に管理可能である。
【発明の効果】
【００２９】
本発明の少なくとも一実施形態によれば、構造物を構成する複数の部品の他部品との接続部に関する情報を適切に管理可能な部品管理データベースが提供される。
【図面の簡単な説明】
【００３０】
【図１】一実施形態にかかる部品管理システムを説明するための概略構成図である。
【図２】一実施形態にかかる部品管理データベースと３ＤＣＡＤ装置の構成を示す概略構成図である。
【図３】一実施形態にかかる部品管理データベースの概略ＥＲ図である。
【図４】図３に示すＥＲ図を説明するための図であって、構造物の一例を示す概略斜視図である。
【図５】図３に示すＥＲ図を説明するための図であって、図４に示す構造物に関するデータの一部を示す図である。
【図６】一実施形態にかかる部品管理データベースにおける形状情報の形式について説明するための図である。
【図７】他の一実施形態にかかる部品管理データベースの概略ＥＲ図である。
【図８】一実施形態における木構造の工法について説明するための図であって、図８（ａ）は、木造軸組工法を示す図であって、図８（ｂ）は、金物工法を示す図である。
【図９】一実施形態における加工後形状作成装置を説明するための図である。
【図１０】一実施形態における部品に付された識別マークを説明するための図であって、識別マークが付された部品と該識別マークを撮影する情報端末装置との構成を示す概略構成図である。
【図１１】一実施形態にかかる部品管理方法のフロー図である。
【発明を実施するための形態】
【００３１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」および「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
なお、同様の構成については同じ符号を付し説明を省略することがある。
【００３２】
以下、図１〜図１０に基づいて、本発明の幾つかの実施形態にかかる部品管理データベース、および該部品管理データベースを備える部品管理システムについて説明する。部品管理データベースや部品管理システムは、構造物を構成する複数の部品を管理するためのデータベースやシステムである。
【００３３】
図１は、一実施形態にかかる部品管理システムを説明するための概略構成図である。幾つかの実施形態にかかる部品管理システム１は、図１に示されるように、３ＤＣＡＤデータの作成、加工および表示が可能な３ＤＣＡＤ装置３と、３ＤＣＡＤ装置３により作成又は加工された３ＤＣＡＤデータを記憶可能なデータベース２（部品管理データベース）と、３ＤＣＡＤ装置３又はデータベース２から送信される３ＤＣＡＤデータに基づいて、ツールパス２７２を生成可能なＣＡＭ装置４と、ＣＡＭ装置４で作成されたツールパス２７２に基づいて、加工工具６を使用して加工対象物を加工可能な加工機５と、を備えている。「ツールパス」とは、加工機５により加工対象物を加工する際に、加工工具６（加工工具６の先端）がたどる移動経路を含むものである。幾つかの実施形態では、加工対象物には木材が含まれる。そして、加工工具６には、円板刃、角ノミ、ルータ、振動ノミなどが含まれる。加工工具６は、加工機５に着脱可能に構成されており、加工機５による加工対象物の加工の際には、加工工具６を交換しながら加工を行うようになっている。
【００３４】
データベース２、３ＤＣＡＤ装置３、ＣＡＭ装置４および加工機５のそれぞれは、相互に電気通信可能に構成されている。図１に示される実施形態では、３ＤＣＡＤ装置３、ＣＡＭ装置４および加工機５のそれぞれは、相互にＬＡＮなどのネットワーク９で接続されている。また、３ＤＣＡＤ装置３、ＣＡＭ装置４および加工機５のそれぞれは、相互に近傍又は遠隔地に設置されている。また、３ＤＣＡＤ装置３、ＣＡＭ装置４および加工機５のそれぞれは、１台又は複数台である。
【００３５】
図１に示される実施形態では、データベース２は、３ＤＣＡＤ装置３で作成や加工がされた３ＤＣＡＤデータが３ＤＣＡＤ装置３から送信されるようになっており、３ＤＣＡＤ装置３から送信された３ＤＣＡＤデータを後述する記憶部２０（図２参照）に記憶する。
【００３６】
また、図１に示される実施形態では、ＣＡＭ装置４は、３ＤＣＡＤ装置３やデータベース２から３ＤＣＡＤデータが送信されるようになっており、送信された３ＤＣＡＤデータに基づいて、ツールパス２７２を生成可能である。ＣＡＭ装置４で生成されたツールパス２７２は、加工機５に送信されるようになっており、加工機５は、ＣＡＭ装置４から送られたツールパス２７２に則る動作を行うことにより、加工対象物の加工が可能である。なお、データベース２は、ＣＡＭ装置４で生成されたツールパス２７２がＣＡＭ装置４から送信されるようになっており、ＣＡＭ装置４から送信されたツールパス２７２を記憶部２０に記憶してもよい。加工機５は、データベース２からツールパス２７２が送信されてもよい。
【００３７】
上記の構成によれば、データベース２、３ＤＣＡＤ装置３、ＣＡＭ装置４および加工機５のそれぞれは、相互に電気通信可能に構成されているので、例えばＣＡＭ装置４は、遠隔地の３ＤＣＡＤ装置３で設計された３ＤＣＡＤデータに基づいて、ツールパス２７２を生成可能である。また、加工機５は、遠隔地のＣＡＭ装置４で生成されたツールパス２７２に基づいて、加工対象物の加工が可能である。
【００３８】
幾つかの実施形態では、上述した部品管理システム１は、図１に示されるように、ツールパス２７２の言語を加工機５の言語に変換可能なポストプロセッサ７をさらに備えている。ポストプロセッサ７は、加工機５がロボット言語やＧ言語により動作可能な多軸ロボット５Ａを含む場合には、ツールパス２７２の言語を多軸ロボット５Ａが認識可能なロボット言語やＧ言語に変換する。また、ポストプロセッサ７は、加工機５がＮＣコードにより動作可能なＮＣ工作機械５Ｂを含む場合には、ツールパス２７２の言語をＮＣコードに変換する。つまり、加工機５は、多軸ロボット５ＡやＮＣ工作機械５Ｂなどの多軸加工機を含んでいる。幾つかの実施形態では、加工機５（多軸加工機）は、直進軸と回転軸とを合計して４軸以上の制御軸数を有する加工機である。好ましくは、加工機５は、５軸以上の制御軸数を有している。さらに好ましくは、加工機５は、６軸以上の制御軸数を有している。また、ポストプロセッサ７は、データベース２、３ＤＣＡＤ装置３、ＣＡＭ装置４および加工機５の各々に例えばネットワークＬＡＮなどのネットワーク９により電気通信可能に構成されている。そして、ポストプロセッサ７は、データベース２やＣＡＭ装置４から送信されたツールパス２７２の言語を変換し、言語が変換されたツールパス２７２を加工機５に送信するようになっている。この場合には、ツールパス２７２の言語が加工機５を制御可能な言語と異なっていても、ポストプロセッサ７により変換することで、ツールパス２７２に則り加工機５を動作させることができる。
【００３９】
幾つかの実施形態では、上述した部品管理システム１は、図１に示されるように、ツールパス２７２に則る、加工工具６又は加工工具６を装着した加工機５（多軸ロボット５Ａ、ＮＣ工作機械５Ｂ）の動作のシミュレーションが可能なシミュレーション装置８をさらに備えている。シミュレーション装置８は、仮想空間上に表現された加工工具６や加工機５による、ツールパス２７２に則る動作を表示部（ＣＡＭ装置４や後述するコンピュータ１０が備える表示部など）に表示可能に構成されている。シミュレーション装置８は、データベース２、３ＤＣＡＤ装置３、ＣＡＭ装置４および加工機５の各々に例えばネットワークＬＡＮなどのネットワーク９により電気通信可能に構成されている。そして、シミュレーション装置８は、データベース２やＣＡＭ装置４から送信されたツールパス２７２に則る加工機５の動作のシミュレーションを行い、シミュレーション結果をデータベース２やＣＡＭ装置４に送信するようになっている。このため、シミュレーション装置８の操作者は、加工工具６と加工機５とが互いに接触するか否か、および加工工具６や加工機５が加工対象物を固定する不図示の固定装置などの他の装置や機器に接触するか否か、を加工機５が加工対象物を加工する前に把握することができる。よって、上述する部品管理システム１は、シミュレーション装置８を備えることにより、ツールパス２７２の妥当性や加工機５による安全性を担保することができる。
【００４０】
図２は、一実施形態にかかる部品管理データベースと３ＤＣＡＤ装置の構成を示す概略構成図である。図３は、一実施形態にかかる部品管理データベースの概略ＥＲ図である。
【００４１】
上述した３ＤＣＡＤ装置３は、図２に示されるように、入出力装置３１（入出力インターフェース、通信装置）と、記憶装置３２（ＲＯＭ、ＲＡＭ）、表示装置３３（ディスプレイ）、演算装置３４を含むマイクロコンピュータから構成されているが、一般的な構成および制御については適宜割愛することとする。３ＤＣＡＤ装置３の入出力装置３１、記憶装置３２、表示装置３３および演算装置３４のそれぞれは、バス３０に電気的に接続されている。「電気的に接続されている」とは、有線による物理的な接続だけでなく、無線により通信を含んでおり、接続された装置間における信号やデータなどの送受信が可能に構成されていることをいう。
【００４２】
３ＤＣＡＤ装置３の入出力装置３１は、部品管理システム１において用いられる各構成要素（データベース２など）からの各種情報が入力され、且つ、演算結果などに基づく各種情報を上述した各構成要素に出力する。また、入出力装置３１は、キーボードやマウス、無線通信装置などを含んでいる。記憶装置３２は、入力された各種情報や制御実施のために必要な各種プログラムや演算結果などを記憶可能に構成されている。演算装置３４は、上述した各種情報に基づいて演算処理を行う。表示装置３３は、入力された各種情報や上述した演算装置３４による演算結果などの情報を表示する。
【００４３】
３ＤＣＡＤ装置３は、図２に示されるように、構造物を構成する複数の部品のそれぞれについて、部品の３次元形状データ（３ＤＣＡＤデータ）を作成可能な３次元形状作成装置３５をさらに含んでいる。３ＤＣＡＤ装置３により作成される３次元形状データには、部品の加工機５による加工前の形状（素材形状）に関する３次元ＣＡＤデータ（加工前形状データ２２１）、部品の加工機５による加工後の形状（完成品形状）に関する３次元ＣＡＤデータ（加工後形状データ２２３）、および部品の加工機５による加工により部品から除去される部分の形状である加工形状に関する３次元ＣＡＤデータ（加工形状データ２２４）を含んでいる。なお、加工前形状データ２２１は、加工対象物をレーザスキャンや撮影することで取得してもよい。３次元形状作成装置３５により形成された加工前形状データ２２１、加工後形状データ２２３および加工形状データ２２４は、ネットワーク９を介してデータベース２に送信されて、データベース２の記憶部２０に記憶される。
【００４４】
上述したデータベース２は、構造物を構成する部品の各々について、部品の部品ＩＤ２１１と、上記部品の加工前形状データ２２２と、上記部品の加工後形状データ２２３と、上記部品の加工前形状データ２２２と加工後形状データ２２３との差分である加工形状データ２２４と、上記部品の接続される他の部品の部品ＩＤ２１１と、上記部品の他部品との接続部の接続種別を表す接続分類ＩＤ２４１と、を関連付けて記憶するようになっている。また、上述したデータベース２は、上記接続種別毎に接続部のモデル形状を記憶するようになっている。
【００４５】
より詳細には、上述したデータベース２は、図２、３に示されるように、構造物を構成する複数の部品のそれぞれについて、部品情報２１と、部品形状情報２２と、部品の他部品との接続部に関する情報である接続情報２３と、部品の他部品との接続部の接続種別を表す接続分類情報２４と、モデル形状情報２５と、を記憶する記憶部２０を有している。
【００４６】
そして、部品情報２１は、図３に示されるように、部品テーブルからなり、構造物を構成する部品を一意に識別するための部品ＩＤ２１１と、後述する部品形状テーブルのレコードにリンクさせるための部品形状ＩＤ２２１と、後述する接続情報テーブルのレコードにリンクさせるための接続情報ＩＤ２３１と、を含んでいる。
【００４７】
部品形状情報２２は、図３に示されるように、部品形状テーブルからなり、部品の形状を一意に識別するための上述した部品形状ＩＤ２２１と、加工前形状データ２２２、加工後形状データ２２３、加工形状データ２２４、および現時点における部品の形状に関する情報である現時点形状データ２２５を含んでいる。
【００４８】
接続情報２３は、図３に示されるように、接続情報テーブルからなり、部品の他部品との接続部を一意に識別するための上述した接続情報ＩＤ２３１と、接続部において接続される各部品の部品ＩＤ２１１とリンクさせるためのＩＤと、後述する接続分類テーブルのレコードにリンクさせるための接続分類ＩＤ２４１と、後述するモデル形状テーブルのレコードにリンクさせるためのモデル形状ＩＤ２５１と、を含んでいる。
【００４９】
接続分類情報２４は、図３に示されるように、接続分類テーブルからなり、部品の他部品との接続部の接続種別を表す接続分類を一意に識別するための接続分類ＩＤ２４１と、接続部の接続名称２４２と、接続部で接続される部品の数を示す要素数２４３と、を含んでいる。また、モデル形状情報２５は、図３に示されるように、モデル形状テーブルからなり、接続部におけるモデル形状を一意に識別するためのモデル形状ＩＤ２５１と、モデル形状データ２５２と、を含んでいる。
【００５０】
図４は、図３に示すＥＲ図を説明するための図であって、構造物の一例を示す概略斜視図である。図５は、図３に示すＥＲ図を説明するための図であって、図４に示す構造物に関するデータの一部を示す図である。図４に示されるように、構造物１５は、３つの部品１６が接続部で接続されるようになっている。部品１６は、図４に示されるように、長さ方向の一端に、蟻ほぞ１７１が形成された第１部品１７と、長さ方向の中央部の蟻ほぞ１７１が嵌入可能な蟻穴１８１が形成されるとともに、長さ方向の中央部に形成されたほぞ穴１８２が形成された第２部品１８と、長さ方向の一端に、ほぞ穴１８２に嵌入可能な短ほぞ１９１が形成された第３部品１９と、を含んでいる。
【００５１】
図５における部品ＩＤ２１１のＩＤ番号１は第１部品１７に対応し、ＩＤ番号２は第２部品１８に対応し、ＩＤ番号３は第３部品１９に対応している。接続情報ＩＤ２４１のＩＤ番号１０１は、接続部で接続される第１部品１７と第２部品１８との接続部に対応するものであり、接続分類ＩＤ２４１を介してリンクする接続名称２４２から、第１部品１７と第２部品１８とが蟻落とし仕口により接合されることが判る。また、モデル形状ＩＤ２５１を介してリンクするモデル形状から、第１部品１７の蟻ほぞ１７１のモデル形状と、第２部品１８の蟻穴１８１のモデル形状と、が判る。
【００５２】
また、接続情報ＩＤ２３１のＩＤ番号１０２は、接続部で接続される第３部品１９と第２部品１８との接続部に対応するものであり、接続分類ＩＤ２４１を介してリンクする接続名称２４２から、第３部品１９と第２部品１８とが短ホゾ差し仕口により接合されることが判る。また、モデル形状ＩＤ２５１を介してリンクするモデル形状から、第３部品１９の短ほぞ１９１のモデル形状と、第２部品１８のほぞ穴１８２のモデル形状と、が判る。
【００５３】
上述したように、幾つかの実施形態にかかるデータベース２は、構造物を構成する複数の部品の各々について、上述した部品および該部品に接続される他の部品の部品ＩＤ２１１と、上述した加工前形状データ２２２と、上述した加工後形状データ２２３と、上述した加工形状データ２２４と、上述した接続分類ＩＤ２４１と、を関連付けて記憶するようになっている。また、上述したデータベース２は、接続種別毎に接続部のモデル形状データ２５２を記憶するようになっている。
【００５４】
上記の構成によれば、データベース２は、複数の部品の各々について、部品の部品ＩＤ２１１と、上記部品に関する形状データ（加工前形状データ２２２、加工後形状データ２２３、加工形状データ２２４）と、上記部品に接続される他部品の部品ＩＤ２１１と、上記部品の他部品との接続部の接続種別を表す接続分類ＩＤ２４１と、を関連付けて記憶する。そして、接続種別毎に接続部のモデル形状データ２５２を記憶する。このため、データベース２を参照すれば、一の部品の部品ＩＤ２１１に関連付けて記憶された、上記一の部品に接続される他部品の部品ＩＤ２１１と接続分類ＩＤ２４１とに基づいて、構造物を構成する複数の部品の他部品との接続関係を把握することができる。よって、上記の構成によれば、構造物を構成する複数の部品の他部品との接続部に関する情報を適切に管理可能である。
【００５５】
図６は、一実施形態にかかる部品管理データベースにおける形状情報の形式について
説明するための図である。幾つかの実施形態では、図６に示されるように、上述したデータベース２は、構造物を構成する部品の各々について、上述した部品に関する形状データである加工前形状データ２２２、加工後形状データ２２３および加工形状データ２２４を表計算ソフト１４（表計算ソフトウェア）において行と列とのテーブルにより表記可能な形式で記憶するようになっている。
【００５６】
より詳細には、図２に示されるように、上述した３ＤＣＡＤ装置３は、３ＤＣＡＤ装置３（３次元形状作成装置３５）により作成された３次元形状データ３５１を、表計算ソフト１４において行と列とのテーブルにより表記可能な形式に変換するデータ変換装置３６をさらに備えている。図６に示される実施形態では、データ変換装置３６は、３次元形状データ３５１を、３次元の座標データと角度データとを含む位置姿勢データ３６１に変換するようになっている。データベース２は、部品に関する形状データ（加工前形状データ２２２、加工後形状データ２２３、加工形状データ２２４および後述する現時点形状データ２２５）を位置姿勢データ３６１の形式で記憶するようになっている。なお、上述したデータ変換装置３６は、データベース２が備えていてもよい。
【００５７】
図１に示されるように、上述した部品管理システム１は、データベース２にネットワーク９を介して接続される少なくとも一つのコンピュータ１０をさらに備えている。図１に示される実施形態では、コンピュータ１０は、ＣＡＤソフト１２が導入されてＣＡＤソフト１２を動作可能な第１コンピュータ１０Ａと、ビューワソフト１３が導入されてビューワソフト１３を動作可能な第２コンピュータ１０Ｂと、表計算ソフト１４が導入されて表計算ソフト１４を動作可能な第３コンピュータ１０Ｃと、を含んでいる。
【００５８】
ＣＡＤソフト１２は３ＤＣＡＤ装置３に導入されたＣＡＤソフトとは異なるソフトであってもよい。第１コンピュータ１０Ａや第２コンピュータ１０Ｂは、データベース２に記憶された位置姿勢データ３６１をＣＡＤソフト１２やビューワソフト１３に取り込むことで、第１コンピュータ１０Ａや第２コンピュータ１０Ｂの表示部に部品の３次元形状を表示することができる。この際、位置姿勢データ３６１とともに位置姿勢データ３６１に関連付けられたモデル形状データ２５２を取り込むことで、部品の簡略的な３次元形状を表示することもできる。
【００５９】
また、表計算ソフト１４は、データベースソフトウェアなどのデータを処理、保存、計算、表示するための一般的なソフトウェアである。第３コンピュータ１０Ｃは、データベース２に記憶された位置姿勢データ３６１を表計算ソフト１４に取り込むことで、第３コンピュータ１０Ｃの表示部に部品の形状データを行と列とのテーブルにより表示することができる。
【００６０】
上記の構成によれば、データベース２は、複数の部品の各々について、部品に関する形状データ（加工前形状データ２２２、加工後形状データ２２３、加工形状データ２２４）を表計算ソフト１４において行と列とのテーブルにより表記可能な形式（例えば位置姿勢データ３６１）で記憶するので、仮に部品に関する形状データを３次元形状データ３５１で記憶するのに比べて、データ管理およびデータ共有が容易になる。また、部品に関する形状データを表計算ソフトにおいて行と列とのテーブルにより表記可能な形式にすることで、上記形状データを作成した３ＤＣＡＤソフト以外のソフトがインストールされたコンピュータ１０（１０Ａ〜１０Ｃ）により、上記形状データの参照や加工が可能となる。
【００６１】
上記形状データ（加工前形状データ２２２、加工後形状データ２２３、加工形状データ２２４）を３次元形状データ３５１から表計算ソフトにおいて行と列とのテーブルにより表記可能な形式（例えば位置姿勢データ３６１）に変換する際には、データの変換による精度の低下や形状情報の欠落を招く可能性がある。しかし、データベース２は、部品の形状データを上記部品に接続される他部品の部品ＩＤ２１１と接続分類ＩＤ２４１とに関連付けて記憶するとともに、接続種別毎に接続部のモデル形状データ２５２を記憶するので、上記部品の他部品との接続関係が明確である。このため、データの変換による精度の低下や形状情報の欠落を抑制することができるとともに、欠落した形状情報を補完することができる。
【００６２】
図７は、他の一実施形態にかかる部品管理データベースの概略ＥＲ図である。幾つかの実施形態では、図２、７に示されるように、上述したデータベース２は、加工形状データ２２４に基づいてＣＡＭ装置４により生成された部品のツールパス２７２であって、上記部品の部品ＩＤに関連付けられる部品のツールパス２７２をさらに記憶するようになっている。ＣＡＭ装置４は、データベース２から送信された加工形状データ２２４に基づいて、ツールパス２７２を生成する。
【００６３】
図７に示される実施形態では、部品情報２１は、後述するツールパステーブルのレコードにリンクさせるためのツールパスＩＤ２７１をさらに含んでいる。ツールパス情報２７は、ツールパステーブルからなり、ツールパスを一意に識別するための上述したツールパスＩＤ２７１と、加工手順を含むツールパス２７２と、を含んでいる。加工手順には、手順毎に使用される加工工具６、加工工具６の移動経路、加工工具６や加工機５の移動速度などの情報が含まれている。
【００６４】
上記の構成によれば、加工形状データ２２４に基づいて、ＣＡＭ装置４により作成された部品のツールパス２７２を部品ＩＤ２１１に関連付けて記憶するので、該部品のツールパス２７２に則り、加工機５の動作のシミュレーションや加工機５による加工をして不具合が生じた場合には、部品を特定することが容易である。このため、部品の加工形状の修正などの対応を迅速に行うことができる。
【００６５】
幾つかの実施形態では、図２、７に示されるように、上述したデータベース２は、部品を加工する加工機５から送られる部品の加工進捗状況に関する情報である加工進捗情報２８２であって、部品ＩＤ２１１に関連付けられる加工進捗情報２８２をさらに記憶する。また、上述したデータベース２は、加工進捗情報２８２に基づいて、現時点形状データ２２５を加工機５により加工中の部品の形状と同じ形状になるように修正してもよい。
【００６６】
図２、７に示される実施形態では、記憶部２０は、部品進捗情報２８をさらに含んでいる。図７に示されるように、部品情報２１は、後述する部品進捗テーブルのレコードにリンクさせるための部品進捗ＩＤ２８１をさらに含んでいる。部品進捗情報２８は、部品進捗テーブルからなり、部品進捗を一意に識別するための上述した部品進捗ＩＤ２８１と、上述した加工進捗情報２８２と、後述する設置情報２８３と、を含んでいる。
【００６７】
上記の構成によれば、データベース２は、部品の加工進捗状況に関する情報である加工進捗情報２８２を部品ＩＤ２１１に関連付けて記憶するので、データベース２を参照すれば、部品の加工機５による加工の進捗状況を把握することができる。
【００６８】
幾つかの実施形態では、図２、７に示されるように、上述したデータベース２は、構造物の建設現場から送られる部品の設置状況に関する情報である上述した設置情報２８３であって、部品ＩＤ２１１に関連付けられる設置情報２８３をさらに記憶する。図１に示されるように、上述した部品管理システム１は、設置情報２８３を取得可能な設置状況確認装置１１をさらに含んでいる。幾つかの実施形態では、設置状況確認装置１１は、建設現場又は建設現場の近傍に位置して部品の設置状況を撮影する撮影装置を含んでいる。また、他の幾つかの実施形態では、設置状況確認装置１１は、建設現場又は建設現場の近傍に位置して、入力装置により入力された部品の設置状況がデータベース２に送信可能なコンピュータや携帯情報端末を含んでいる。
【００６９】
上記の構成によれば、データベース２は、部品の設置状況に関する情報である設置情報２８３を部品ＩＤ２１１に関連付けて記憶するので、データベース２を参照すれば、部品の建設現場における設置状況を把握することができる。
【００７０】
図８は、一実施形態における木構造の工法について説明するための図であって、図８（ａ）は、木造軸組工法を示す図であって、図８（ｂ）は、金物工法を示す図である。図８（ａ）、（ｂ）に示されるように、部品の他部品との接続部における接続において、接続金物２６３を用いる場合と用いない場合とがある。図８（ａ）に示される構造物１５Ａは、部品１６１に形成された凹部や貫通孔に部品１６２、１６３、１６４のそれぞれの凸部が嵌入することで、部品１６１に部品１６２、１６３、１６４が接合されている。つまり部品同士の接続に接続金物２６３を用いない。これに対して図８（ｂ）に示される構造物１５Ｂは、部品１７２の側面に取付けられた３つの接続金物２６３のそれぞれに、部品１７３、１７４、１７５が固定されるようになっている。つまり、部品同士の接続に接続金物２６３を用いている。
【００７１】
幾つかの実施形態では、図２、７に示されるように、上述したデータベース２は、接続部において部品と他部品とを接続する接続金物２６３に関する情報である接続金物情報２６であって、部品ＩＤ２１１に関連付けられる接続金物情報２６をさらに記憶する。
【００７２】
図７に示される実施形態では、部品情報２１は、後述する接続金物テーブルのレコードにリンクさせるための接続金物ＩＤ２６１をさらに含んでいる。接続金物情報２６は、接続金物テーブルからなり、接続金物を一意に識別するための上述した接続金物ＩＤ２６１と、接続金物データ２６２と、を含んでいる。接続金物データ２６２は、接続金物２６３の形状や、接続金物２６３を取付けるための部品の形状などに関する情報を含んでいる。
【００７３】
上記の構成によれば、接続部において部品と他部品とを接続する接続金物２６３に関する情報である接続金物情報２６を部品ＩＤ２１１に関連付けて記憶するので、データベース２を参照すれば、構造物を構成する複数の部品の他部品や接続金物２６３との接続関係を把握することができる。よって、上記の構成によれば、構造物を構成する複数の部品の、接続金物２６３や他部品との接続部に関する情報を適切に管理可能である。
【００７４】
幾つかの実施形態では、図１に示されるように、上述した部品管理システム１は、上述したデータベース２と、上述した３ＤＣＡＤ装置３と、を備えている。そして、図２に示されるように、３ＤＣＡＤ装置３は、部品の加工前形状データ２２２、部品に接続される他部品の加工前形状データ２２２、および接続種別毎に記憶された接続部のモデル形状データ２５２に基づいて、部品の加工後形状データ２２３、および他部品の加工後形状データ２２３を作成可能な加工後形状作成装置３７（加工後形状作成部）を有している。
【００７５】
図９は、一実施形態における加工後形状作成装置を説明するための図である。図９において、部品１５１は、長手方向の中央側の位置において部品１５２に接続される。また、部品１５１は、長手方向の一端に部品１５３が接続されるとともに他端に部品１５４が接続される。加工後形状作成装置３７は、図９の中央に示されるように、表示装置３３に表示される空間上において、部品１５１の加工前形状データ２２２Ａ、部品１５２の加工前形状データ２２２Ｂ、部品１５３の加工前形状データ２２２Ｃ、および部品１５４の加工前形状データ２２２Ｄを所望の位置に配置する。部品１５１〜１５４は加工前の形状であるので、互いに重なり合うように配置される。
【００７６】
次に、加工後形状作成装置３７は、データベース２を参照し、部品１５１の部品ＩＤ１２１を基に、部品ＩＤ１２１に関連付けられた部品１５２〜１５４との接続分類ＩＤや、モデル形状データ２５２を読み取る。そして、加工後形状作成装置３７は、部品１５１〜１５４の形状（断面積や長さ）を参照し、モデル形状データ２５２を拡大縮小などのサイズ変更をすることで、部品１５１の加工形状データ２２４（２２４Ａ〜２２４Ｃ）を形成する。ここで、加工形状データ２２４Ａは、部品１５２と接続するために除去される部分の形状データであり、加工形状データ２２４Ｂは、部品１５３と接続するために除去される部分の形状データであり、加工形状データ２２４Ｃは、部品１５４と接続するために除去される部分の形状データである。
【００７７】
加工後形状作成装置３７は、部品１５１の加工前形状データ２２２Ａと、加工形状データ２２４（２２４Ａ〜２２４Ｃ）と、の差分を求めることで、部品１５１の加工後形状データ２２３Ａを取得する。加工後形状作成装置３７は、同様の方法により、部品１５２〜１５４のそれぞれの加工後形状データについても取得できる。
【００７８】
上記の構成によれば、３ＤＣＡＤ装置３は、加工後形状作成装置３７（加工後形状作成部）を有するので、部品の加工前の形状データ（加工前形状データ２２２Ａ）と、接続部において上記部品に接続される他部品の加工前の形状データ（加工前形状データ２２２Ｂ〜２２２Ｄ）と、上記接続部のモデル形状データ２５２と、に基づいて、上記部品の加工後の形状データ（加工後形状データ２２３Ａ）、上記他部品の加工後の形状データを作成することができる。このような加工後形状作成装置３７（加工後形状作成部）を有する３ＤＣＡＤ装置３によれば、部品や他部品の加工後の形状データの作成が容易である。
【００７９】
上述したように、幾つかの実施形態では、上述した部品管理システム１は、上述したデータベース２と、データベース２とデータの送受信が可能な上述したＣＡＭ装置４であって、加工形状の形状データ（加工形状データ２２４）に基づいて部品のツールパス２７２（ツールパスデータ）を生成可能なＣＡＭ装置４と、を備える。この場合には、ＣＡＭ装置４は、データベース２に記憶された加工形状の形状データ（加工形状データ２２４）に基づいて、部品のツールパス２７２を生成可能である。該部品のツールパス２７２に則り、加工機５の動作のシミュレーションや、加工機５による部品の加工が可能である。
【００８０】
図１０は、一実施形態における部品に付された識別マークを説明するための図であって、識別マークが付された部品と該識別マークを撮影する情報端末装置との構成を示す概略構成図である。幾つかの実施形態では、図１０に示されるように、上述した部品管理システム１は、上述したデータベース２と、部品１９２に付された識別マーク１９５であって、部品１９２を特定する情報（部品１９２の部品ＩＤ２１１を含む）および部品１９２の形状モデル１９２Ａが情報としてエンコードされた識別マーク１９５とを備えている。そして、識別マーク１９５は、情報端末装置５０の撮影画像から抽出されて識別マーク１９５にエンコードされた情報が読み取られた際に、撮影画像に重畳して情報端末装置５０の画面に部品１９２の形状モデル１９２Ａを表示する。
【００８１】
図１０に示される実施形態では、構造物１５Ｃは、部品１９２と、部品１９２に接続される部品１９３と、部品１９２に接続される部品１９４と、を備えている。構造物１５Ｃは、部品１９２と部品１９３と部品１９４とが組み合わされて構成されている。そして、部品１９２に識別マーク１９５が付されている。識別マーク１９５は、バーコード、ＱＲコード（登録商標）、ＡＲマーカーなどを含む。識別マーク１９５は、部品１９２に印刷されていてもよいし、印刷された用紙などの別部材を部品１９２に取付けてもよい。
【００８２】
そして、情報端末装置５０は、スマートフォン、携帯電話機、ＰＤＡ、タブレット型コンピュータなどを含んでいるが、一般的な構成および制御については適宜割愛することとする。情報端末装置５０は、図１０に示されるように、画像を撮影する撮影装置５１と、撮影装置５１により撮影された撮影画像から識別マーク１９５を抽出して、識別マーク１９５にエンコードされた情報を読み取り可能な読取装置５２と、撮影画像を表示可能であるとともに、読取装置５２が識別マーク１９５にエンコードされた情報を読み取り、撮影画像に重畳して部品１９２の形状モデル１９２Ａを表示可能な表示装置５３と、を含んでいる。
【００８３】
また、図１０に示される実施形態では、識別マーク１９５は、部品１９２に接続される部品１９３、１９４の形状モデル１９３Ａ、１９４Ａがさらに情報としてエンコードされており、表示装置５３は、形状モデル１９２Ａとともに、形状モデル１９３Ａ、１９４Ａを表示するようになっている。この際、図１０に示されるように、部材同士の組み合わせ構造を分かり易くするために、形状モデル１９２Ａ、１９３Ａおよび１９４Ａを互いに離れた位置に表示してもよい。
【００８４】
上記の構成によれば、部品１９２に付された識別マーク１９５が情報端末装置５０の撮影画像から抽出されて、識別マーク１９５にエンコードされた情報が読み取らされた際に、撮影画像に重畳して情報端末装置５０の画面に部品１９２の形状モデル１９２Ａが表示される。このため、部品１９２は構造物１５Ｃに組み込まれた後は、部品１９２を目視しても部品１９２の形状を把握することが困難であるが、部品１９２に付された識別マーク１９５から部品１９２の形状を容易に把握することができる。また、識別マーク１９５には例えば部品ＩＤ２１１のような部品１９２を特定する情報がエンコードされているので、データベース２を参照することで、識別マーク１９５が付された部品１９２を特定したり、該部品１９２に関する情報を取得したりすることができる。
【００８５】
図１１は、一実施形態にかかる部品管理方法のフロー図である。幾つかの実施形態にかかる部品管理方法１００は、構造物を構成する複数の部品を管理するための部品管理方法である。そして、部品管理方法１００は、図１１に示されるように、構造物を構成する複数の部品の各々について、上述した部品および該部品に接続される他の部品の部品ＩＤ２１１と、上述した加工前形状データ２２２と、上述した加工後形状データ２２３と、上述した加工形状データ２２４と、上述した接続分類ＩＤ２４１と、を関連付けて記憶装置（記憶部２０）に記憶するステップＳ１０１と、接続種別毎に接続部のモデル形状データ２５２を記憶装置（記憶部２０）に記憶するステップＳ１０２と、を有している。
【００８６】
上記の方法によれば、部品管理方法１００は、複数の部品の各々について、部品の部品ＩＤ２１１と、上記部品に関する形状データ（加工前形状データ２２２、加工後形状データ２２３、加工形状データ２２４）と、上記部品に接続される他部品の部品ＩＤ２１１と、上記部品の他部品との接続部の接続種別を表す接続分類ＩＤ２４１と、を関連付けて記憶装置（記憶部２０）に記憶する。そして、接続種別毎に接続部のモデル形状データ２５２を記憶装置（記憶部２０）に記憶する。このため、記憶装置を参照すれば、一の部品の部品ＩＤ２１１に関連付けて記憶された、上記一の部品に接続される他部品の部品ＩＤ２１１と接続分類ＩＤ２４１とに基づいて、構造物を構成する複数の部品の他部品との接続関係を把握することができる。よって、上記の方法によれば、構造物を構成する複数の部品の他部品との接続部に関する情報を適切に管理可能である。
【００８７】
本発明は上述した実施形態に限定されることはなく、上述した実施形態に変形を加えた形態や、これらの形態を適宜組み合わせた形態も含む。
【符号の説明】
【００８８】
１        部品管理システム
２        データベース
３        ３ＤＣＡＤ装置
４        ＣＡＭ装置
５        加工機
６        加工工具
７        ポストプロセッサ
８        シミュレーション装置
９        ネットワーク
１０      コンピュータ
１１      設置状況確認装置
１２      ＣＡＤソフト
１３      ビューワソフト
１４      表計算ソフト
１５      構造物
１６      部品
１７      第１部品
１８      第２部品
１９      第３部品
２０      記憶部
２１      部品情報
２１１    部品ＩＤ
２２      部品形状情報
２２１    加工前形状データ
２２２    加工後形状データ
２２３    加工形状データ
２２４    現時点形状データ
２３      接続情報
２４      接続分類情報
２４１    接続分類ＩＤ
２５      モデル形状情報
２５２    モデル形状データ
２６      接続金物情報
２６２    接続金物
２７      ツールパス情報
２７２    ツールパス
２８      部品進捗情報
２８２    加工進捗情報
２８３    設置情報
【図１】
2019185448.tif 000003
【図２】
2019185448.tif 000004
【図３】
2019185448.tif 000005
【図４】
2019185448.tif 000006
【図５】
2019185448.tif 000007
【図６】
2019185448.tif 000008
【図７】
2019185448.tif 000009
【図８】
2019185448.tif 000010
【図９】
2019185448.tif 000011
【図１０】
2019185448.tif 000012
【図１１】
2019185448.tif 000013